【手続補正書】
【提出日】平成25年1月24日(2013.1.24)
【手続補正１】
【補正対象書類名】特許請求の範囲
【補正対象項目名】全文
【補正方法】変更
【補正の内容】
【特許請求の範囲】
【請求項１】
ユーザのリクエストに応じてグループを生成し、前記ユーザ及び前記ユーザによって指定された少なくとも１人の他のユーザを前記グループの構成員として登録する登録部と、
あるグループの構成員として登録されたユーザに対して、当該グループの情報を公開する管理部と、
を備え、
前記登録部は、前記構成員として登録されたユーザによって指定された少なくとも１人の更に他のユーザを、前記グループの構成員として追加する
ことを特徴とするメッセージングサービスシステム。
【請求項２】
前記登録部は、前記構成員として登録された前記他のユーザによって指定された少なくとも一人の他のユーザを、前記グループの構成員として追加する
ことを特徴とする請求項１に記載のメッセージングサービスシステム。
【請求項３】
前記管理部は、前記ユーザからのリスエストに応じて当該ユーザの友だちとして登録されたユーザであるメンバーのリストであるメンバーリスト及び当該ユーザからのリクエストに応じて生成されたグループのリストであるグループリストを同時に表示する機能を提供する
ことを特徴とする請求項２に記載のメッセージングサービスシステム。
【請求項４】
前記登録部は、前記ユーザが自己への連絡先を前記グループの構成員に対して公開するかどうかを設定する機能を有し、
前記管理部は、前記ユーザが前記連絡先の公開を許容した場合、前記グループの構成員に前記連絡先を公開する
ことを特徴とする請求項２に記載のメッセージングサービスシステム。
【請求項５】
前記登録部は、前記グループに関連する名前、写真、アイコンの中から選択される少なくとも１つのグループ情報の入力を受ける機能を有する
ことを特徴とする請求項２に記載のメッセージングサービスシステム。
【請求項６】
前記管理部は、前記グループの構成員に対して、前記グループに関連するグループ情報の編集権限，及び、グループから脱退する権限のうち少なくとも１つを付与する
ことを特徴とする請求項２に記載のメッセージングサービスシステム。
【請求項７】
前記管理部は、前記グループリストまたは前記メンバーリストによって選択されたメンバーに対して前記メンバーが連絡先の公開を許容した場合、前記メンバーの連絡先を公開する機能を提供することを特徴とする請求項３に記載のメッセージングサービスシステム。
【請求項８】
前記管理部は、前記ユーザから入力された検索語に基づいて前記メンバーリスト及び前記グループリストを対象に統合検索を実施する
ことを特徴とする請求項３に記載のメッセージングサービスシステム。
【請求項９】
前記管理部は、前記ユーザについての情報を登録した他のメンバーのリスト及び前記ユーザ以外の他のメンバーが登録したグループのリストを、同時に、前記ユーザの端末上に表示する
ことを特徴とする請求項３に記載のメッセージングサービスシステム。
【請求項１０】
前記登録部は、前記他のメンバーが登録したグループのリストにそのグループ情報が含まれたグループを前記ユーザに関連するグループリストに追加する機能を提供する
ことを特徴とする請求項９に記載のメッセージングサービスシステム。
【請求項１１】
前記管理部は、前記ユーザが、前記グループに属する少なくとも１人の構成員または構成員全体についての情報を、特定のメンバーと共有する機能を提供する
ことを特徴とする請求項３に記載のメッセージングサービスシステム。
【請求項１２】
前記少なくとも１人の構成員または構成員全体についての情報は、前記メンバーに関連するメンバーリストまたはグループリストに追加されることを特徴とする請求項１１に記載のメッセージングサービスシステム。
【請求項１３】
前記管理部は、前記構成員が連絡先の公開を許容した場合、前記構成員の連絡先を前記メンバーに公開する
ことを特徴とする請求項１１に記載のメッセージングサービスシステム。
【請求項１４】
前記構成員の連絡先は、前記メッセージングサービスシステム上に格納される
ことを特徴とする請求項１３に記載のメッセージングサービスシステム。
【請求項１５】
前記構成員の連絡先は、前記メンバーのモバイル端末上に格納される
ことを特徴とする請求項１３に記載のメッセージングサービスシステム。
【請求項１６】
メッセージングサービスを提供するメッセージングサービスシステムのメッセージングサービス方法において、
ユーザのリクエストに応じてグループを生成して前記ユーザ及び前記ユーザによって指定された少なくとも１人の他のユーザを前記グループの構成員として登録する登録ステップと、
前記構成員として登録されたユーザに対して、前記グループの情報を公開する管理ステップと、
を含み、
前記登録ステップは、前記構成員として登録されたユーザによって指定された少なくとも１人の更に他のユーザを、前記グループの構成員として追加する
ことを特徴とするメッセージングサービス方法。
【請求項１７】
前記管理ステップは、前記ユーザが当該ユーザの友だちとして登録したユーザであるメンバーのリストであるメンバーリスト及びグループリストを同時に表示する
ことを特徴とする請求項１６記載のメッセージングサービス方法。
【請求項１８】
前記登録ステップは、前記ユーザが自己への連絡先を前記グループの構成員に対して公開するかどうかを設定し、
前記管理ステップは、前記ユーザが前記連絡先の公開を許容した場合、前記グループの構成員に前記連絡先を公開する
ことを特徴とする請求項１６に記載のメッセージングサービス方法。
【請求項１９】
前記登録ステップは、前記ユーザから前記グループに関連する名前、写真、アイコンの中から選択される少なくとも１つのグループ情報の入力を受ける
ことを特徴とする請求項１６に記載のメッセージングサービス方法。
【請求項２０】
前記管理ステップは、前記グループの構成員に対して、前記グループに関連するグループ情報の編集権限，及び、グループから脱退する権限のうち少なくとも１つを付与する
ことを特徴とする請求項１６に記載のメッセージングサービス方法。
【請求項２１】
前記管理ステップは、前記グループリストまたは前記メンバーリストによって選択されたメンバーに対して前記メンバーが連絡先の公開を許容した場合、前記メンバーの連絡先を公開する
ことを特徴とする請求項１７に記載のメッセージングサービス方法。
【請求項２２】
前記管理ステップは、前記ユーザから入力された検索語に対して前記メンバーリスト及び前記グループリストを対象に統合検索を実施する
ことを特徴とする請求項１７に記載のメッセージングサービス方法。
【請求項２３】
前記管理ステップは、前記ユーザを登録したメンバーリスト及び前記メンバーが登録したグループリストを同時に表示することを特徴とする請求項１７に記載のメッセージングサービス方法。
【請求項２４】
前記登録ステップは、前記他のメンバーが登録したグループのリストにそのグループ情報が含まれたグループを前記ユーザに関連するグループリストに追加する
ことを特徴とする請求項２３に記載のメッセージングサービス方法。
【請求項２５】
前記管理ステップは、前記ユーザのリクエストに応じて、前記グループに属する少なくとも１人の構成員または構成員全体についての情報を、特定のメンバーと共有する
ことを特徴とする請求項１７に記載のメッセージングサービス方法。
【請求項２６】
前記少なくとも１人の構成員または構成員全体についての情報は、前記メンバーに関連するメンバーリストまたはグループリストに追加されることを特徴とする請求項２５に記載のメッセージングサービス方法。
【請求項２７】
前記管理ステップは、前記構成員が連絡先の公開を許容した場合、前記構成員の連絡先を前記メンバーに公開する
ことを特徴とする請求項２５に記載のメッセージングサービス方法。
【請求項２８】
前記構成員の連絡先は、前記メッセージングサービスシステム上に格納される
ことを特徴とする請求項２７に記載のメッセージングサービス方法。
【請求項２９】
前記構成員の連絡先は、前記メンバーのモバイル端末上に格納される
ことを特徴とする請求項２７に記載のメッセージングサービス方法。
【請求項３０】
請求項１６から請求項２９のいずれか１項の方法を実行するためのプログラムが記録されていることを特徴とするコンピュータで読み出し可能な記録媒体。
【請求項３１】
モバイル通信環境を通じてモバイル端末と接続可能なサーバコンピュータに、
前記モバイル端末から送信されたユーザのリクエストに応じてグループを生成して、前記ユーザ及び前記ユーザによって指定された少なくとも１人の他のユーザを前記グループの構成員として登録する登録ステップと、
前記構成員として登録されたユーザに対して、前記グループの情報を公開する管理ステップとを実行させ、さらに、
前記登録ステップにおいて、前記構成員として登録されたユーザによって指定された少なくとも１人の更に他のユーザを、前記グループの構成員として追加させる
ことを特徴とするメッセージングサービスプログラム。
【請求項３２】
モバイル通信環境を通じてサーバに接続可能であってタッチパネルを備えたモバイル端末にインストールされ、当該モバイル端末に、
構成員追加メニュー及び格納メニューを含むグループ追加ページを前記タッチパネルに表示させ、
当該構成員追加メニューがタッチされると、当該モバイル端末を使用するユーザに対して他のユーザを選択させる構成員追加メニューを、前記タッチパネルに表示させ、
前記構成員追加メニューを通じて他のユーザが選択された状態で前記格納メニューがタッチされると、当該モバイル端末を使用するユーザ及び前記選択された他のユーザを構成員とするグループの生成のリクエストを、前記サーバへ送信させ、
当該モバイル端末を使用するユーザが構成員となっているグループのリストを前記タッチパネルに表示させ、
前記リストから何れかのグループが選択されると、当該モバイル端末を使用するユーザに対して更に他のユーザを選択させて前記選択されたグループの構成員として追加させる追加メニューを、前記タッチパネルに表示させる
メッセージングサービスアプリケーションプログラム。